(57)【要約】【課題】電子回路が構成された回路ユニットを簡単に固定することができるようにしたプラズマディスプレイ装置を提供する。【解決手段】プラズマディスプレイパネルを取り付けたシャーシ部材に配置されかつ前記プラズマディスプレイパネルに信号を印加して表示を行う表示駆動回路ブロックと、これらのプラズマディスプレイパネル及び表示駆動回路ブロックが収容される筐体と、この筐体の外部に開口した装着口３３より着脱可能に装着されかつ前記表示駆動回路ブロックに着脱可能に接続されるブロック本体３７とを有し、前記ブロック本体３７に把手部４８を設けるとともに、その把手部４８に前記筐体側に設けた係止片４９に着脱自在に係止可能な係止凹部を設け、前記ブロック本体３７を装着口３３に装着した状態で把手部４８の係止凹部を係止片４９に係止するように構成したもので、前記ブロック本体３７を本体内に簡単に固定することができる。【選択図】　図４
2004020998.tif 000002
【特許請求の範囲】
【請求項１】
プラズマディスプレイパネルを取り付けたシャーシ部材に配置されかつ前記プラズマディスプレイパネルに信号を印加して表示を行う表示駆動回路ブロックと、これらのプラズマディスプレイパネル及び表示駆動回路ブロックが収容される筐体と、この筐体の外部に開口した装着口より着脱可能に装着されかつ前記表示駆動回路ブロックに着脱可能に接続される回路ユニットとを有し、前記回路ユニットに把手部を設けるとともに、その把手部に前記筐体側に設けた係止片に着脱自在に係止可能な係止部を設け、前記回路ユニットを装着口に装着した状態で把手部の係止部を係止片に係止するように構成したことを特徴とするプラズマディスプレイ装置。
【請求項２】
回路ユニットに把手部を回動自在に軸支して設け、前記把手部を筐体側に回動させることにより係止部を係止片に係止するように構成したことを特徴とする請求項１記載のプラズマディスプレイ装置。
【請求項３】
把手部の持ち位置を回路ユニットの重心の略延長線上になるように構成したことを特徴とする請求項１記載のプラズマディスプレイ装置。
【請求項４】
回路ユニットに外部機器との接続端子部を設け、把手部の持ち位置を前記接続端子部の位置からずらして配置したことを特徴とする請求項１記載のプラズマディスプレイ装置。
【請求項５】
把手部を筐体側に回動させて係止部を係止片に係止させた状態で、把手部を固定したことを特徴とする請求項２記載のプラズマディスプレイ装置。
【発明の詳細な説明】
【０００１】
【発明の属する技術分野】
本発明は、ディスプレイ装置として知られているプラズマディスプレイ装置に関するものである。
【０００２】
【従来の技術】
一般に、この種のプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
まず、プラズマディスプレイ装置におけるプラズマディスプレイパネルの構造について図７を用いて説明する。図７に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００５】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００６】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００７】
図８にこのプラズマディスプレイパネルの電極配列を示しており、図８に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００８】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００９】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【００１０】
一方、プラズマディスプレイ装置は大形の表示装置として各種の用途に使用されることから、信号入力端子構造には、パーソナルコンピュータ、テレビジョンチューナ、ビデオなどの各種の情報信号を含む映像信号を出力する外部機器と接続可能な構成が要求される。
【００１１】
このためプラズマディスプレイ装置においては、必然的に多くの外部信号発生源に接続できるように各種の信号入力端子が設けられているが、一般のユーザー側からすれば、全ての信号入力端子を使用するような使い方は少なく、ほとんどが特定の外部機器のみを接続して使用するため、各種の機器に対応できるように設置された各種の信号入力端子の一部は不要になることがある。
【００１２】
また、ユーザーに応じた信号入力端子を有する複数種類のプラズマディスプレイ装置を製造すればよいが、上述のように各種の用途に使用されるプラズマディスプレイ装置においては、多品種の製品を生産しなければならなくなり、生産効率が悪くなってしまう。
【００１３】
【発明が解決しようとする課題】
従来、ユーザーの利用目的に応じた信号入力端子構造を備えたプラズマディスプレイ装置にあっては、電子回路が構成された回路ユニットを本体内にセットする場合、回路ユニットを固定するためにビスを用いなければならなく、ドライバーなどの工具を使用しなければならないという手間がかかるという課題があった。また、ビスを締め付ける箇所が増えれば、その手間は増えることになり、同様に複数の回路ユニットを本体内にセットする場合においても手間が増えることになる。
【００１４】
本発明はこのような現状に鑑みなされたもので、電子回路が構成された回路ユニットを簡単に固定することができるようにしたプラズマディスプレイ装置を提供することを目的としている。
【００１５】
【課題を解決するための手段】
上記目的を達成するために本発明は、電子回路が構成された回路ユニットに把手部を設けるとともに、その把手部に前記筐体側に設けた係止片に着脱自在に係止可能な係止部を設け、前記回路ユニットを装着口に装着した状態で把手部の係止部を係止片に係止するように構成したものである。
【００１６】
この構成によって、特にまた、ディスプレイ機器に接続される外部機器に対応する回路ユニットが複数種類用意された場合や、複数の回路ユニットを本体内にセットするようにした場合において、把手部を動作させるだけで回路ユニットを本体内に装着した状態で簡単にロックすることができ、量産工程におけるセット時間の短縮、部品交換時の取り外しおよび取り付けの時間の短縮を図ることができる。
【００１７】
【発明の実施の形態】
すなわち、本発明の請求項１記載の発明は、プラズマディスプレイパネルを取り付けたシャーシ部材に配置されかつ前記プラズマディスプレイパネルに信号を印加して表示を行う表示駆動回路ブロックと、これらのプラズマディスプレイパネル及び表示駆動回路ブロックが収容される筐体と、この筐体の外部に開口した装着口より着脱可能に装着されかつ前記表示駆動回路ブロックに着脱可能に接続される回路ユニットとを有し、前記回路ユニットに把手部を設けるとともに、その把手部に前記筐体側に設けた係止片に着脱自在に係止可能な係止部を設け、前記回路ユニットを装着口に装着した状態で把手部の係止部を係止片に係止するように構成したもので、前記回路ユニットを本体内に簡単に固定することができる。
【００１８】
本発明の請求項２記載の発明は、回路ユニットに把手部を回動自在に軸支して設け、前記把手部を筐体側に回動させることにより係止部を係止片に係止するように構成したことにより、前記把手部が本体から突出しないようにすることができる。
【００１９】
本発明の請求項３記載の発明は、把手部の持ち位置を回路ユニットの重心の略延長線上になるように構成したことにより、前記回路ユニットを持ち運びしやすくすることができる。
【００２０】
本発明の請求項４記載の発明は、回路ユニットに外部機器との接続端子部を設け、把手部の持ち位置を前記接続端子部の位置からずらして配置したことにより、前記把手部を持った時に持ち手が前記接続端子に接触しにくいようにすることができる。
【００２１】
本発明の請求項５記載の発明は、把手部を筐体側に回動させて係止部を係止片に係止させた状態で、把手部を固定したもので、簡単に把手部を動かせないようにすることができる。
【００２２】
以下、本発明の一実施の形態によるプラズマディスプレイ装置について、図１〜図６を用いて説明するが、本発明の実施の態様はこれに限定されるものではない。
【００２３】
図１に本発明の一実施の形態によるプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００２４】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２５】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００２６】
図２はこのような構成のプラズマディスプレイ装置において、バックカバー１２を外して内部の配置構造を示す平面図であり、図２においてスキャンドライバ回路ブロック２０はパネル１０のスキャン電極に所定の信号電圧を供給し、サステインドライバ回路ブロック２１はパネル１０のサステイン電極に所定の信号電圧を供給し、アドレスドライバ回路ブロック２２はパネル１０のアドレス電極に所定の信号電圧を供給するもので、スキャンドライバ回路ブロック２０、サステインドライバ回路ブロック２１はシャーシ部材１４の幅方向の両端部にそれぞれ配置され、またアドレスドライバ回路ブロック２２はシャーシ部材１４の高さ方向の上端部および下端部に配置されている。
【００２７】
制御回路ブロック２３は、テレビジョンチューナ等の外部機器に接続するための接続ケーブルが着脱可能に接続される入力端子部を備えた入力信号回路ブロック２４から送られる映像信号に基づき、画像データをパネル１０の画素数に応じた画像データ信号に変換してアドレスドライバ回路ブロック２２に供給すると共に、放電制御タイミング信号を発生し、各々スキャンドライバ回路ブロック２０およびサステインドライバ回路ブロック２１に供給し、階調制御等の表示駆動制御を行うもので、シャーシ部材１４のほぼ中央部に配置されている。
【００２８】
電源ブロック２５は、前記各回路ブロックに電圧を供給するもので、前記制御回路ブロック２３と同様、シャーシ部材１４のほぼ中央部に配置され、電源ケーブル（図示せず）が装着されるコネクタ２６を有する電源入力ブロック２７を通して商用電源電圧が供給される。
【００２９】
ブラケット２８はスタンドポールに装着されるもので、シャーシ部材１４の高さ方向の下端部の位置に取り付けられている。据置用のスタンドに取り付けたスタンドポールの先端部をブラケット２８の孔に挿入し、ビス等によりスタンドポールをブラケット２８に固定することによりスタンドが取り付けられ、これによりパネルを立てた状態で保持されることとなる。
【００３０】
フレキシブル配線板２９は、パネル１０のスキャン電極、サステイン電極の電極引出部とスキャンドライバ回路ブロック２０、サステインドライバ回路ブロック２１のプリント配線板とを接続し、フレキシブル配線板３０はパネル１０のアドレス電極の電極引出部とアドレスドライバ回路ブロック２２のプリント配線板とを接続するもので、パネル１０の外周部を通して、前面側より背面側に１８０度湾曲させて引き回して配置している。
【００３１】
図３、図４に制御回路ブロック２３と入力信号回路ブロック２４の部分の構成を示しており、以下この部分について詳細に説明する。
【００３２】
制御回路ブロック２３の回路基板３１は、上述したような所定の制御回路を構成するマイクロコンピュータ、ドライバＩＣ、電気回路部品等が搭載されるもので、これにより制御回路ブロック２３が構成されている。また、この回路基板３１の端部には、信号入力用のコネクタ３２が配置されている。
【００３３】
入力信号回路ブロック２４は、図３、図４に示すように、シャーシ部材１４に配置されかつ筐体のバックカバー１２より外部に開口するように設けた装着口３３を有するケース部材３４と、このケース部材３４に装着口３３より着脱可能に装着されかつケース部材３４に装着することにより前記制御回路ブロック２３のコネクタ３２に着脱可能に接続される信号出力用のコネクタ３５を備えるとともに外部機器に接続するための接続ケーブルが着脱可能に接続される接続端子部としての入力端子３６を備えた回路ユニットである第１のブロック本体３７とを有している。
【００３４】
また、ケース部材３４内には、チューナやパソコンなどの別の外部機器に接続するための接続ケーブルが着脱可能に接続される入力端子３８を備えた別の第２のブロック本体３９が内蔵され、前記制御回路ブロック２３のコネクタ３２に信号出力用のコネクタ４０が常時接続されている。なお、図３では、ケース部材３４を省略して図示し、また図４では入力端子３６およびブロック本体３９側を省略して図示している。
【００３５】
このケース部材３４は、金属板を折り曲げ加工することにより構成されており、シャーシ部材１４側の面には、シャーシ部材１４に取り付けるためのビスが貫通する孔４１ａを有する固定片４１が任意の個所に一体に設けられ、またこのシャーシ部材１４への取り付け面よりほぼ直角に立ち上がる面には、上述した装着口３３およびケース部材３４に内蔵したブロック本体３９の入力端子３８が配置される開口４２を形成した端子配置部４３が設けられている。そして、ケース部材３４は、バックカバー１２に設けた開口（図示せず）より端子配置部４３を外部に表出させた状態でシャーシ部材１４に取り付けられる。
【００３６】
また、前記ブロック本体３７は、入力信号回路を構成するＩＣや電子回路部品等の部品が搭載される回路基板４４と、この回路基板４４の上面に取り付けられ前記入力信号回路を構成する部品を電磁的にシールドするシールド板４５と、同じく前記回路基板４４の下面に取り付けられ前記入力信号回路を構成する部品を電磁的にシールドするシールド板４６とを備えている。
【００３７】
さらに、前記回路基板４４の後面側には、前記コネクタ３５の端子が電気的に接続されて固定され、前記回路基板４４の前面側には、前記回路基板４４に電気的に接続された端子接続部としての入力端子３６が貫通して突出するように複数の孔４７ａを形成した端子板４７が取り付けられている。また、前記ブロック本体３７の端子板４７には、持ち位置がブロック本体３７の重心の略延長線上で、接続端子部の入力端子３６の位置からずらして配置されるように、把手部４８が回動自在に軸支されて設けられ、そして前記ケース部材３４の前記装着口３３の両側には、前記ブロック本体３７を装着口３３に装着した状態で把手部４８が係止する突起４９ａを有した係止片４９が設けられている。
【００３８】
図５、図６に前記把手部４８と端子板４７の部分の構成を示している。前記把手部４８には、把手部４８自体を回動自在に軸支するための回動軸５０と、ケース部材３４の前記装着口３３の両側の係止片４９の突起４９ａに係止固定するための係止部である係止凹部５１とが同軸上に設けられ、前記係止凹部５１の周りは、前記突起４９ａに引っ掛かるための引掛け部５２と前記突起４９ａを前記係止凹部５１に案内するための案内口５３が形成されている。また、前記端子板４７には前記回動軸５０が挿入される回動孔５４ａを有する回動固定片５４が設けられている。
【００３９】
このような構成とすることにより、前記ブロック本体３７を前記ケース部材３４に装着する場合、図６に示すように前記把手部４８を前記端子板４７に対して略直角に位置させた状態で、前記案内口５３に前記突起４９ａを導くようにすれば、前記突起４９ａは前記係止凹部５１に挿入される。これにより、前記ブロック本体３７は前記ケース部材３４、すなわちプラズマディスプレイ装置内に挿入されることになる。
【００４０】
次に、前記把手部４８を図６に示すＡ方向に回動させれば、その状態で前記ブロック本体３７を前記ケース部材３４から引き出そうとしても、前記突起４９ａが前記引掛け部５２に引っ掛かって引き出すことができなくなる。これにより、前記ブロック本体３７は前記ケース部材３４、すなわちプラズマディスプレイ装置内で固定されることになる。
【００４１】
ここで、図示していないが、把手部４８を筐体側に回動させて係止凹部５１を係止片４９に係止させた状態で、把手部４８をネジにより固定する構造とすることにより、把手部４８を簡単に動かせないこととなり、例えばプラズマディスプレイ装置に対して衝撃があった場合に、ブロック本体３７がプラズマディスプレイ装置から容易に外れないようにすることができる。
【００４２】
【発明の効果】
以上のように本発明によれば、把手部を動作させるだけで回路ユニットを本体内に挿入された状態で装着口に簡単にロックすることができ、量産工程におけるセット時間の短縮、部品交換時の取り外しおよび取り付けの時間の短縮を図ることができる。
【図面の簡単な説明】
【図１】本発明の一実施の形態によるプラズマディスプレイ装置の全体構成を示す分解斜視図
【図２】同プラズマディスプレイ装置の内部の配置構造を示す平面図
【図３】同プラズマディスプレイ装置の入力信号回路ブロック部分の構成を示す平面図
【図４】同分解斜視図
【図５】同入力信号回路ブロック部分の把手部と端子板の構成を示す斜視図
【図６】同入力信号回路ブロック部分の把手部と端子板の組み合わせ後の要部の側面図
【図７】プラズマディスプレイ装置のパネルの概略構成を示す斜視図
【図８】同プラズマディスプレイ装置のパネルの電極配列を示す説明図
【符号の説明】
１０　パネル
１４　シャーシ部材
２３　制御回路ブロック
２４　入力信号回路ブロック
３３　装着口
３４　ケース部材
３６　入力端子
３７　ブロック本体
４７　端子板
４８　把手部
４９　係止片
５０　回動軸
５１　係止凹部
５２　引掛け部
５３　案内口
【図１】
2004020998.tif 000003
【図２】
2004020998.tif 000004
【図３】
2004020998.tif 000005
【図４】
2004020998.tif 000006
【図５】
2004020998.tif 000007
【図６】
2004020998.tif 000008
【図７】
2004020998.tif 000009
【図８】
2004020998.tif 000010